(57)【特許請求の範囲】
【請求項１】
頭頂部被覆部、前頭部被覆部および側頭部被覆部を備えて頭部から海馬に入射する放射線を遮蔽する頭部遮蔽部と、顔面から海馬に入射する放射線を遮蔽する顔面遮蔽部と、からなる遮蔽部を有する放射線プロテクタであって、
前記頭部遮蔽部は後頭部側が開口していると共に、前記側頭部被覆部は後頭部側へ突出していることを特徴とする放射線プロテクタ。
【請求項２】
前記顔面遮蔽部は、少なくとも眼部およびその周辺を覆うように構成されていることを特徴とする請求項１に記載の放射線プロテクタ。
【請求項３】
前記顔面遮蔽部は、顔面全体を覆うように構成されていることを特徴とする請求項１に記載の放射線プロテクタ。
【請求項４】
前記顔面遮蔽部は、端部が前記頭部遮蔽部に回動自在に軸支されていることを特徴とする請求項１〜３のいずれか１項に記載の放射線プロテクタ。
【請求項５】
前記頭部遮蔽部と前記顔面遮蔽部とは一体成形されてなることを特徴とする請求項１〜３のいずれか１項に記載の放射線プロテクタ。
【請求項６】
前記遮蔽部は、金属、含鉛合成樹脂または含鉛ガラスからなる放射線遮蔽材を含むことを特徴とする請求項１〜５のいずれか１項に記載の放射線プロテクタ。
【請求項７】
前記顔面遮蔽部は、透明であることを特徴とする請求項１〜６のいずれか１項に記載の放射線プロテクタ。
【請求項８】
前記頭部遮蔽部の内面の少なくとも一部に弾性および吸水性を有するクッション材をさらに備え、前記クッション材を介して頭部と当接することを特徴とする請求項１〜７のいずれか１項に記載の放射線プロテクタ。
【発明の詳細な説明】
【技術分野】
【０００１】
本発明は放射線プロテクタに関する。
【背景技術】
【０００２】
従来、脳の神経細胞は高度に分化した細胞であるので、高線量の放射線治療等による放射線被曝を除いては放射線被曝による細胞障害は受け難いものと考えられていた。しかし、近年では、ヒトの脳神経細胞の中でも神経細胞の新生が常時生じていることが明らかになってきており、特に、記憶形成に重要な役割を担う部位である海馬の歯状回という部位で神経細胞の新生が常時生じていることが明らかになってきた。また、新生細胞は、幼若な細胞であるため放射線に対する感度が非常に鋭敏であり、放射線の照射を受けることにより新生細胞の新生、増生、生存等に障害が発生することが知られるようになってきた。さらに、低線量のエックス線の照射によっても海馬の新生細胞が容易に障害を受けることも知られ、動物実験では海馬の新生細胞が放射線の照射を受けることにより放射線障害を引き起こし認知機能が低下することも知られるようになってきた（非特許文献１〜５参照）。
【０００３】
最近では、脳血管障害（クモ膜下出血、脳動脈瘤、脳動脈狭窄および脳動静脈奇形等）や狭心症等の循環器系の治療の際に、開頭又は開胸手術のような人体への侵襲の度合いの大きい外科的な治療法ではなく、術後の予後等を考慮してカテーテル等を用いた低侵襲の血管内治療（ＩＶＲ）が盛んに行われるようになってきた。ＩＶＲでは、エックス線画像等を見ながらカテーテル等を患部に到達させて治療を行うので、医療従事者はもとより患者も多量の放射線被曝を受ける機会が増大している。そのため、近年ではＩＶＲ時の白内障予防のためのガイドラインや皮膚障害防護に関するガイドライン等も出されるようになってきた（非特許文献６〜７参照）。
【先行技術文献】
【非特許文献】
【０００４】
【非特許文献１】Ｍａｒｋｏ  ＮＦ．  ｅｔ  ａｌ．,  "Ｒａｄｉｏｔｈｅｒａｐｙ  Ｎｅｕｒｏｃｏｇｎｉｔｉｖｅ  ｃｏｎｓｉｄｅｒａｔｉｏｎｓ  ｉｎ  ｔｈｅ  ｔｒｅａｔｍｅｎｔ  ｏｆ  ｂｒａｉｎ ｍｅｔａｓｔａｓｅｓ．"  Ｎａｔ．  Ｒｅｖ．  Ｃｌｉｎ．  Ｏｎｃｏｌ.  ２０１０  Ａｐｒ；７（４）  ｐ．１８５−１８６
【非特許文献２】Ｋｉｍ  ＪＳ．  ｅｔ  ａｌ．,  "Ｔｒａｎｓｉｅｎｔ  ｉｍｐａｉｒｍｅｎｔ  ｏｆ  ｈｉｐｐｏｃａｍｐｕｓ−ｄｅｐｅｎｄｅｎｔ  ｌｅａｒｎｉｎｇ  ａｎｄ  ｍｅｍｏｒｙ  ｉｎ  ｒｅｌａｔｉｖｅｌｙ  ｌｏｗ−ｄｏｓｅ  ｏｆ  ａｃｕｔｅ  ｒａｄｉａｔｉｏｎ  ｓｙｎｄｒｏｍｅ  ｉｓ  ａｓｓｏｃｉａｔｅｄ  ｗｉｔｈ  ｉｎｈｉｂｉｔｉｏｎ  ｏｆ  ｈｉｐｐｏｃａｍｐａｌ  ｎｅｕｒｏｇｅｎｅｓｉｓ"
【非特許文献３】Ｒａｂｅｒ  Ｊ．  ｅｔ  ａｌ．,  "Ｒａｄｉａｔｉｏｎ−ｉｎｄｕｃｅｄ  ｃｏｇｎｉｔｉｖｅ  ｉｍｐａｉｒｍｅｎｔｓ  ａｒｅ  ａｓｓｏｃｉａｔｅｄ  ｗｉｔｈ  ｃｈａｎｇｅｓ  ｉｎ  ｉｎｄｉｃａｔｏｒｓ  ｏｆ  ｈｉｐｐｏｃａｍｐａｌ  ｎｅｕｒｏｇｅｎｅｓｉｓ."
【非特許文献４】Ｇａｎ  ＨＫ．  ｅｔ  ａｌ．，  "Ｃｏｇｎｉｔｉｖｅ  Ｆｕｎｃｔｉｏｎｉｎｇ  Ａｆｔｅｒ  Ｒａｄｉｏｔｈｅｒａｐｙ  ｏｒ  Ｃｈｅｍｏｒａｄｉｏｔｈｅｒａｐｙ  ｆｏｒ  Ｈｅａｄ−ａｎｄ−Ｎｅｃｋ  Ｃａｎｃｅｒ．"  Ｉｎｔ．  Ｊ．  Ｒａｄｉａｔ．  Ｏｎｃｏｌ．  Ｂｉｏｌ．  Ｐｈｙｓ．  Ａｕｇ．  １２，  ２０１０
【非特許文献５】Ｂｒｕｅｌ−Ｊｕｎｇｅｒｍａｎ  ｅｔ  ａｌ．,  （２００７）.  "Ａｄｕｌｔ  Ｈｉｐｐｏｃａｍｐａｌ  Ｎｅｕｒｏｇｅｎｅｓｉｓ,  Ｓｙｎａｐｔｉｃ  Ｐｌａｓｔｉｃｉｔｙ  ａｎｄ  Ｍｅｍｏｒｙ：  Ｆａｃｔｓ  ａｎｄ  Ｈｙｐｏｔｈｅｓｉｓ."  Ｒｅｖｉｅｗｓ  ｉｎ  ｔｈｅ  Ｎｅｕｒｏｓｃｉｅｎｃｅｓ  Ｖｏｌ．１８  ｐ．９３−１１４．  ２００７
【非特許文献６】医療放射線防護連絡協議会、「ＩＶＲに伴う放射線皮膚障害の防止に関するガイドライン」（２００４）
【非特許文献７】永井良三ら、「循環器診療における放射線被ばくに関するガイドライン」、Ｃｉｒｃｕｌａｔｉｏｎ  Ｊｏｕｒｎａｌ  Ｖｏｌ.  ７０,  Ｓｕｐｐｌ.  ＩＶ,  ２００６
【発明の概要】
【発明が解決しようとする課題】
【０００５】
しかしながら、上述のとおり、眼や皮膚等の放射線による障害についてはガイドラインの発表等により広く知られ、これに対する予防策も十分講じられるようになってきているが、脳、特に記憶の形成に重要な役割を果たす海馬の放射線による認知機能障害等の予防についてのガイドライン等は未だに発表されていないのが現状である。
【０００６】
本発明は上記問題点に鑑みなされたものであり、その目的とするところは、放射線被曝から海馬を保護するための放射線プロテクタを提供することにある。
【課題を解決するための手段】
【０００７】
本発明の上記目的は、下記の手段によって達成される。
（１）すなわち、本発明は、海馬に入射する放射線を遮蔽する遮蔽部を備えることを特徴とする放射線プロテクタである。
（２）本発明はまた、前記遮蔽部は、頭部から入射する放射線を遮蔽する頭部遮蔽部と、顔面から入射する放射線を遮蔽する顔面遮蔽部と、を備えることを特徴とする（１）に記載の放射線プロテクタである。
（３）本発明はまた、前記頭部遮蔽部は、少なくとも頭頂部、前頭部および側頭部を覆うように構成されていることを特徴とする（１）または（２）に記載の放射線プロテクタである。
（４）本発明はまた、前記頭部遮蔽部は、後頭部が開口して構成されていることを特徴とする（１）〜（３）のいずれか１項に記載の放射線プロテクタである。
（５）本発明はまた、前記顔面遮蔽部は、少なくとも眼部およびその周辺を覆うように構成されていることを特徴とする（１）〜（４）のいずれか１項に記載の放射線プロテクタである。
（６）本発明はまた、前記顔面遮蔽部は、顔面全体を覆うように構成されていることを特徴とする（１）〜（４）のいずれか１項に記載の放射線プロテクタである。
（７）本発明はまた、前記顔面遮蔽部は、端部が前記頭部遮蔽部に回動自在に軸支されていることを特徴とする（１）〜（６）のいずれか１項に記載の放射線プロテクタである。
（８）本発明はまた、前記頭部遮蔽部と前記顔面遮蔽部とは一体成形されてなることを特徴とする（１）〜（６）のいずれか１項に記載の放射線プロテクタである。
（９）本発明はまた、前記遮蔽部は、金属、含鉛合成樹脂または含鉛ガラスからなる放射線遮蔽材を含むことを特徴とする（１）〜（８）に記載の放射線プロテクタである。
（１０）本発明はまた、前記顔面遮蔽部は、透明であることを特徴とする（１）〜（９）のいずれか１項に記載の放射線プロテクタである。
（１１）本発明はまた、前記頭部遮蔽部の内面の少なくとも一部に弾性および吸水性を有するクッション材をさらに備え、前記クッション材を介して頭部と当接することを特徴とする（１）〜（１０）に記載の放射線プロテクタである。
（１２）本発明はまた、前記頭部遮蔽部は、前記放射線プロテクタを頭部に固定するための帯状の固定手段をさらに備えることを特徴とする（１）〜（１１）のいずれか１項に記載の放射線プロテクタである。
【発明の効果】
【０００８】
本発明の放射線プロテクタによれば、海馬に入射する放射線を遮蔽する遮蔽部を備えるので、放射線による海馬の被曝を防止でき、医療従事者等の記憶障害等を有効に予防することができる。
【図面の簡単な説明】
【０００９】
【図１】本発明の第１の実施形態にかかる放射線プロテクタ１０の全体構成を示す概略側面図である。
【図２】第１の実施形態にかかる放射線プロテクタ１０の正面図である。
【図３】第１の実施形態にかかる放射線プロテクタ１０の背面図である。
【図４】本発明の第２の実施形態にかかる放射線プロテクタ１０の側面図である。
【図５】本発明の第３の実施形態にかかる放射線プロテクタ１０の側面図である。
【発明を実施するための形態】
【００１０】
以下、本発明の実施の形態を、図面を参照して詳細に説明する。
【００１１】
図１は、本発明の第１の実施形態にかかる放射線プロテクタ１０の全体構成を示す概略側面図である。図１〜３に示すように、本実施形態にかかる放射線プロテクタ１０は、頭部遮蔽部１００と顔面遮蔽部２００とを備えてなる。
【００１２】
頭部遮蔽部１００は、頭頂部、前頭部および両側頭部を覆うように構成されており、後頭部が開口した構成となっている。後頭部が開口した構成となっていても、頭頂部、前頭部および側頭部が覆われていれば、頭部から海馬３００に入射される放射線を十分に遮蔽できるとともに、使用者が、放射線プロテクタ１０を頭部へ装着し易くなったり、プロテクタ内部が蒸れたり、熱くなるのを防止することができる。但し、頭頂部、前頭部および両側頭部に加えて後頭部も覆われた構成としてもよい。
【００１３】
頭部遮蔽部１００の側頭部被覆部は、側頭部からの放射線を遮断するため耳全体を覆うように構成され、さらに、海馬３００の形状に合わせて後頭部側へも突出するように構成さている。
【００１４】
頭部遮蔽部１００として利用可能な素材としては、金属、含鉛合成樹脂または含鉛ガラスがある。金属としては、鉛、ステンレス鋼、タングステン、タングステン合金またはタングステン複合材があり、含鉛合成樹脂としては、含鉛アクリル樹脂、含鉛メタクリル樹脂等がある。但し、含鉛合成樹脂を用いる代わりに、ＡＢＳ樹脂、ポリカーボネート樹脂、ポリエチレン樹脂、ＦＲＰ樹脂（強化プラスチック）、ポリプロピレン樹脂等の合成樹脂に金属または含鉛合成樹脂を被覆または貼り合わせて積層したものを用いてもよい。
【００１５】
顔面遮蔽部２００は、眼部およびその周辺を覆い、鼻から下は開放されて構成されている。鼻から下が開放されていたとしても、眼部およびその周辺が覆われていれば、顔面から海馬３００に入射される放射線を十分に遮蔽することができるとともに、放射線プロテクタ１０を装着している間でも息苦しくなく、会話もし易く、顔面遮蔽部２００が曇ったりすることもない。
【００１６】
顔面遮蔽部２００は、両端部が、軸支部５００を介して頭部遮蔽部１００の側頭部被覆部に回動自在に軸支されている。これにより、軸支部５００を支点にして顔面遮蔽部２００を上下にスライドさせることにより、前頭部に移動させて顔面を開放することができるようになっている。但し、図４に示すように、顔面遮蔽部２００が顔面全体を覆ように構成してもよい。
【００１７】
顔面遮蔽部２００には頭部遮蔽部１００に用いたのと同様の素材であって透明なものを用いることができる。透明なものとすることで、良好な視認性を確保することができる。
【００１８】
なお、頭部遮蔽部１００と顔面遮蔽部２００とを分離して構成せずに、図５に示すように一体として構成してもよい。
【００１９】
図１〜３に戻って、頭部遮蔽部１００の頭頂部被覆部と前頭部被覆部の内側には弾性および吸水性を有するクッション６００および７００が設けられている。これにより、放射線プロテクタ１０を頭部に装着した際に頭部が直接頭部遮蔽部１００に当接することがないので、快適な装着感が得られるとともに、クッション６００および７００により汗等の水分が適切に吸収され、頭部遮蔽部１００の内部が蒸れたりすることがない。このようなクッション６００および７００の素材としては、例えば、ポリウレタン等があげられる。
【００２０】
図３に示すように、頭部遮蔽部１００には、一端が頭部遮蔽部１００の両側頭部被覆部の下端に固定され、他端に係止部８００を備えた一対の帯状の固定手段４００が備えられている。係止部８００は、例えば、面ファスナ、バックル、ベルト、ボタン、ホック等で構成される。また、係止部８００を設けずに端部同士を結んで留めるように構成してもよい。さらに、これら固定手段４００は、長さ調節機構を有してもよい。
【００２１】
尚、本発明の放射線プロテクタは、上記した実施形態に限定されるものではなく、本発明の要旨を逸脱しない範囲内において種々変更を加え得ることは勿論である。
【００２２】
次に、本発明の放射線プロテクタを実施例により更に詳細に説明するが、本発明はこれらの実施例に限定されるものではない。
【実施例１】
【００２３】
含鉛アクリル樹脂（鉛当量０．０７ｍｍＰｂ）を用いて、図１〜３に示した放射線プロテクタ１０を作製し、島津製血管造影装置を用いてＸ線を１０秒間照射した場合のＸ線遮蔽率を測定した。また、比較のために他の放射線防護用具（放射線防護エプロンおよび甲状腺防護用のど当て）も同様にしてＸ線を１０秒間照射した場合のＸ線遮蔽率を測定した。線量の測定にはＵＮＦＯＲＳ線量測定装置を使用した。Ｘ線の照射は３回行ったが、表には照射線量の平均値のみを示した。
【表１】
0005807869.tif 000002
【００２４】
表１より明らかなとおり、本発明の放射線プロテクタのＸ線遮蔽率は５８％であり、エプロン（５４％）、のど当て（４７％）と比較して高い遮蔽率を示した。
【産業上の利用可能性】
【００２５】
上述したように、本発明の放射線プロテクタは、海馬に入射する放射線を遮蔽するので、放射線による海馬の被曝を防止するための放射線プロテクタとして利用した場合極めて有用である。
【符号の説明】
【００２６】
１０    放射線プロテクタ
１００  頭部遮蔽部
２００  顔面遮蔽部
３００  海馬
４００  固定手段
５００  軸支部
６００  クッション
７００  クッション
８００  面ファスナ
【図１】
0005807869.tif 000003
【図２】
0005807869.tif 000004
【図３】
0005807869.tif 000005
【図４】
0005807869.tif 000006
【図５】
0005807869.tif 000007